(57)【要約】【課題】筐体の内部に設けられる電源側配線の配置を容易に整えることができる投写型映像表示装置を提供する。【解決手段】投写型映像表示装置であるプロジェクタは、ランプユニットが収容されるランプハウジングと、ランプハウジングが内部に設けられる筐体１０とを備える。筐体１０の内部には、ランプユニットに電力を供給する電源部６０と、電源部６０に接続された電源側配線６２と、電源側配線６２に取り付けられた給電側コネクタ６３とが設けられている。また、ランプユニットは、電灯であるランプと、ランプに接続されたランプ側配線と、ランプ側配線に取り付けられた被給電側コネクタとを備えている。そして、被給電側コネクタと接続される給電側コネクタ６３は、筐体１０及びランプハウジングのうち筐体１０に対して固定されている。【選択図】図６
2012073525.tif 000002
【特許請求の範囲】
【請求項１】
ランプユニットが収容されるランプハウジングと、このランプハウジングが内部に設けられる筐体とを備える投写型映像表示装置において、
前記筐体の内部には、前記ランプユニットに電力を供給する電源部と、この電源部に接続された電源側配線と、この電源側配線に取り付けられた給電側コネクタとが設けられ、
前記ランプユニットは、電灯であるランプと、このランプに接続されたランプ側配線と、このランプ側配線に取り付けられた被給電側コネクタとを備え、
前記被給電側コネクタと接続される前記給電側コネクタは、前記筐体及び前記ランプハウジングのうち前記筐体に対して固定されている
ことを特徴とする投写型映像表示装置。
【請求項２】
前記給電側コネクタは、この給電側コネクタを保持する保持部材を介して前記筐体に対して固定されている
ことを特徴とする請求項１に記載の投写型映像表示装置。
【請求項３】
前記保持部材には、前記電源側配線が嵌め合せられる配線嵌合部が設けられている
ことを特徴とする請求項２に記載の投写型映像表示装置。
【請求項４】
前記保持部材はねじを用いて前記筐体に固定されている
ことを特徴とする請求項２または３に記載の投写型映像表示装置。
【請求項５】
前記給電側コネクタの一部が、ねじを用いて前記保持部材に固定されている
ことを特徴とする請求項４に記載の投写型映像表示装置。
【請求項６】
前記給電側コネクタは、前記電源側配線が差し込まれた配線差込部を有し、
前記配線差込部をカバーする壁体が前記給電側コネクタの近傍に設けられている
ことを特徴とする請求項１〜５のいずれか一項に記載の投写型映像表示装置。
【請求項７】
前記壁体が前記ランプハウジングにより構成されている
ことを特徴とする請求項６に記載の投写型映像表示装置。
【発明の詳細な説明】
【技術分野】
【０００１】
本願発明は、ランプユニットが設けられるランプハウジングと、このランプハウジングが内部に設けられる筐体とを備える投写型映像表示装置に関する。
【背景技術】
【０００２】
投写型映像表示装置であるプロジェクタにおいて、筐体の内部にランプハウジングを設けて、このランプハウジングにランプを備えたランプユニットを収容する構成が知られている（例えば、特許文献１参照）。
【０００３】
また、例えば特許文献１に記載されるように、ランプを含むランプユニットを容易に交換できるように、筐体の内部に設けられる電源部とランプとを、コネクタを用いて接続する構成が知られている。例えば、電源部に接続された電源側配線に給電側コネクタが取り付けられるとともに、ランプに接続されたランプ側配線に被給電側コネクタが取り付けられる構成が知られている。このような構成においては、ランプユニットの交換時において、給電側コネクタと被給電側コネクタとを分離することにより、電源部とランプとを接続する給電用の配線を容易に分離することができる。
【先行技術文献】
【特許文献】
【０００４】
【特許文献１】特開２００４−２３３５６５号公報
【発明の概要】
【発明が解決しようとする課題】
【０００５】
しかしながら、上記特許文献１に記載されるように、ランプハウジングにコネクタホルダが設けられて、コネクタホルダに給電側コネクタ（電源側ランプ電源コネクタ）が取り付けられる構成においては、筐体に対してランプハウジングが固定されていないと、給電側コネクタの位置が決定されない。従って、ランプハウジングが筐体に対して固定された後に、給電側コネクタをランプハウジングに対して固定して電源側配線の配置を整えることになる。このため、筐体の狭い内部にランプハウジングが設けられた後に、電源側配線の配置を手作業で整えることが煩雑であるという問題があった。
【０００６】
本発明は、こうした実情に鑑みてなされたものであり、その目的は、筐体の内部に設けられる電源側配線の配置を容易に整えることができる投写型映像表示装置を提供することにある。
【課題を解決するための手段】
【０００７】
以下、上記目的を達成するための手段及びその作用効果について記載する。
請求項１に記載の発明は、ランプユニットが収容されるランプハウジングと、このランプハウジングが内部に設けられる筐体とを備える投写型映像表示装置において、前記筐体の内部には、前記ランプユニットに電力を供給する電源部と、この電源部に接続された電源側配線と、この電源側配線に取り付けられた給電側コネクタとが設けられ、前記ランプユニットは、電灯であるランプと、このランプに接続されたランプ側配線と、このランプ側配線に取り付けられた被給電側コネクタとを備え、前記被給電側コネクタと接続される前記給電側コネクタは、前記筐体及び前記ランプハウジングのうち前記筐体に対して固定されていることを特徴とする。
【０００８】
上記構成によれば、電源部に接続された電源側配線に取り付けられたコネクタであって、ランプユニットの被給電側コネクタと接続される給電側コネクタは、筐体及びランプハウジングのうち筐体に対して固定されている。このため、ランプハウジングに給電側コネクタが固定されず、筐体の内部にランプハウジングが設けられていない状態においても、筐体に対して給電側コネクタを固定することにより、筐体の内部に設けられる給電側コネクタの位置を決定することができる。従って、ランプハウジングが筐体の内部に設けられる前に、筐体の内部に設けられる給電側コネクタを固定することができ、筐体の内部に設けられる電源側配線の配置を容易に整えることができる。
【０００９】
請求項２に記載の発明は、請求項１に記載の投写型映像表示装置において、前記給電側コネクタは、この給電側コネクタを保持する保持部材を介して前記筐体に対して固定されていることを特徴とする。
【００１０】
上記構成によれば、給電側コネクタは、この給電側コネクタを保持する保持部材を介して筐体に対して固定されている。このため、給電側コネクタの形状に合った保持部材を用いることにより、形状の異なる種々の給電側コネクタを筐体に対して固定することが可能となる。
【００１１】
請求項３に記載の発明は、請求項２に記載の投写型映像表示装置において、前記保持部材には、前記電源側配線が嵌め合せられる配線嵌合部が設けられていることを特徴とする。
【００１２】
上記構成によれば、保持部材には、電源側配線が嵌め合せられる配線嵌合部が設けられている。このため、保持部材の配線嵌合部に電源側配線が嵌め合わせられることにより、給電側コネクタだけでなく電源側配線も保持部材により保持される。
【００１３】
請求項４に記載の発明は、請求項２または３に記載の投写型映像表示装置において、前記保持部材はねじを用いて前記筐体に固定されていることを特徴とする。
上記構成によれば、保持部材はねじを用いて筐体に固定されている。このため、保持部材を強固に固定することができ、保持部材を筐体から容易に取り外すこともできる。
【００１４】
請求項５に記載の発明は、請求項４に記載の投写型映像表示装置において、前記給電側コネクタの一部が、ねじを用いて前記保持部材に固定されていることを特徴とする。
上記構成によれば、給電側コネクタの一部が、ねじを用いて保持部材に固定されている。このため、給電側コネクタを強固に保持することができ、給電側コネクタを保持部材から容易に取り外すこともできる。
【００１５】
請求項６に記載の発明は、請求項１〜５のいずれか一項に記載の投写型映像表示装置において、前記給電側コネクタは、前記電源側配線が差し込まれた配線差込部を有し、前記配線差込部をカバーする壁体が前記給電側コネクタの近傍に設けられていることを特徴とする。
【００１６】
上記構成によれば、電源側配線が差し込まれた配線差込部をカバーする壁体が、給電側コネクタの近傍に設けられている。このため、配線差込部をカバーする壁体により、例えば人体の一部である指が、電源側配線を構成するとともに給電側コネクタ内において露出する導電体に触れることを防止することができる。従って、給電側コネクタ内の導電体と人体との絶縁距離を容易に確保することができる。
【００１７】
請求項７に記載の発明は、請求項６に記載の投写型映像表示装置において、前記壁体が前記ランプハウジングにより構成されていることを特徴とする。
上記構成によれば、壁体がランプハウジングにより構成されている。このため、筐体に対して給電側コネクタを固定して電源側配線の配置を整えた後に、筐体の内部にランプハウジングを設けることにより、給電側コネクタ内における導電体と人体との絶縁距離を容易に確保することができる。
【発明の効果】
【００１８】
本発明によれば、ランプハウジングが筐体の内部に設けられる前に、筐体の内部に設けられる給電側コネクタを固定することができ、筐体の内部に設けられる電源側配線の配置を容易に整えることができる。
【図面の簡単な説明】
【００１９】
【図１】（ａ）（ｂ）本発明の一実施形態に係る投写型映像表示装置の外観を示す斜視図。
【図２】同実施形態に係る投写型映像表示装置が備える光学系の概略構成を示す構成図。
【図３】同実施形態に係る投写型映像表示装置が備えるランプユニットを示す斜視図。
【図４】（ａ）（ｂ）同実施形態に係る投写型映像表示装置が備えるランプユニットを示す側面図。
【図５】同実施形態に係るランプハウジングが筐体の内部に設けられた状態を示す斜視図。
【図６】同実施形態に係る筐体の内部を示す斜視図。
【図７】同実施形態に係る筐体の内部を示す斜視図。
【図８】同実施形態に係る給電側コネクタが保持された状態を示す斜視図。
【図９】同実施形態に係る給電側コネクタを保持する保持部材を示す図であって、（ａ）は平面図、（ｂ）は側面図、（ｃ）は斜視図。
【図１０】同実施形態に係るランプハウジングにランプユニットが収容された状態を示す斜視図。
【図１１】同実施形態に係る給電側コネクタと被給電側コネクタとが接続された状態を示す斜視図。
【発明を実施するための形態】
【００２０】
以下、本発明を具体化した一実施形態について図面を参照しながら説明する。なお、以下の説明において上方及び下方を含む上下方向は、図中において矢印を用いて示す方向である。
【００２１】
図１（ａ）及び（ｂ）に示すように、プロジェクタ１は、スクリーンや壁等に映像を投写して表示する投写型映像表示装置であって、電子部品や光学部品等を内蔵する筐体１０を備えている。
【００２２】
本実施形態においては、筐体１０は、下側に設けられる下側ケース１１、下側ケース１１の上方を覆う上側ケース１２、正面パネル１３、背面パネル１４（図１（ｂ）参照）、フィルタカバー１５、及びランプ２を覆うランプカバー１６等により構成されている。正面パネル１３は、投射レンズ３８側に設けられるとともに、背面パネル１４は、正面パネル１３の反対側であって種々の接続端子により構成された端子部１４ａ側に設けられている。
【００２３】
図２に示すように、プロジェクタ１は、筐体１０の内部に設けられる光学部品として、映像表示用の光源であるランプ２と、白色光を赤・緑・青の三原色の光に分離するダイクロイックミラー３４ｂ，３４ｇと、三原色の光に対応した液晶ライトバルブ３６ｒ，３６ｇ，３６ｂとを備えている。
【００２４】
電灯であるランプ２は、例えば超高圧水銀ランプやメタルハライドランプ等の放電ランプにより構成されている。ランプ２は、放電により光を発する発光管２１と、発光管２１が発した光を所定方向に反射するリフレクタ２２と、リフレクタ２２の外側に設けられた端子支持部材２３と、端子支持部材２３により支持された接続端子２４とを含む。
【００２５】
発光管２１には、例えば例えば水銀やハロゲン化物等の発光体が封入されるとともに、一対の電極（図示略）が設けられている。発光管２１内に設けられた電極に電圧が印加されることにより、発光管２１内において放電が発生する。このようにして、ランプ２は、発光管２１内において放電を発生させることにより発光管２１から白色光を発する。
【００２６】
リフレクタ２２は、発光管２１が発した光を反射する反射鏡である。発光管２１から出射された光がリフレクタ２２で反射されることによって、リフレクタ２２が設けられていない場合に比べて、多くの光がランプ２から液晶ライトバルブ３６ｒ，３６ｇ，３６ｂに導かれる。
【００２７】
端子支持部材２３は、リフレクタ２２の外側部位に設けられている。端子支持部材２３により支持されている接続端子２４は、発光管２１内に設けられている電極（図示略）と電気的に接続されている。従って、接続端子２４を介して、発光管２１で放電を発生させる電力がランプ２に供給可能である。
【００２８】
ランプ２が発する光は、ダイクロイックミラー３４ｂ，３４ｇ及びミラー３５により液晶ライトバルブ３６ｒ，３６ｇ，３６ｂに導かれる。このとき、ランプ２から出射された光が液晶ライトバルブ３６ｒ，３６ｇ，３６ｂに入射するまでに、一対のフライアイレンズにより構成されるインテグレータレンズ３１によって照度分布の均一化が図られるとともに、偏光変換素子３２によって偏光方向が所定方向に揃えられる。また、集光レンズ３３によって光束が収束されて液晶ライトバルブ３６ｒ，３６ｇ，３６ｂに光が入射するように構成されている。
【００２９】
ランプ２が発する白色光は、青色の波長の光を反射するダイクロイックミラー３４ｂと、緑色の波長の光を反射するダイクロイックミラー３４ｇとにより、赤色の波長の光（以下、「赤色光」）と緑色の波長の光（以下、「緑色光」）と青色の波長の光（以下、「青色光」）とに分離される。
【００３０】
白色光から分離された赤色光は液晶ライトバルブ３６ｒに入射する。また、白色光から分離された緑色光は液晶ライトバルブ３６ｇに入射する。また、白色光から分離された青色光は液晶ライトバルブ３６ｂに入射する。液晶ライトバルブ３６ｒ，３６ｇ，３６ｂは、画像を構成する画素毎に光の透過率が変更可能なライトバルブである。液晶ライトバルブ３６ｒ，３６ｇ，３６ｂの各々は、液晶パネルと、液晶パネルに対して光が入射する側に設けられた入射側光学部品と、液晶パネルから光が出射する側に設けられた出射側光学部品とにより構成されている。液晶パネルは、液晶分子を挟む透明基板を少なくとも含んでいる。また、入射側光学部品及び出射側光学部品は、偏光板を少なくとも含む。
【００３１】
液晶ライトバルブ３６ｒに入射した赤色光が液晶ライトバルブ３６ｒを透過することによって、赤色の映像が生成される。同様に、液晶ライトバルブ３６ｇに入射した緑色光が液晶ライトバルブ３６ｇを透過することによって、緑色の映像が生成され、液晶ライトバルブ３６ｂに入射した青色光が液晶ライトバルブ３６ｂを透過することによって、青色の映像が生成される。
【００３２】
さらに、プロジェクタ１は、光学部品として、三原色の映像の光を合成するクロスダイクロイックプリズム３７と、映像の光を投射するレンズ群を含む投射レンズ３８とを備えている。
【００３３】
液晶ライトバルブ３６ｒ，３６ｇ，３６ｂにおいて生成された赤・緑・青の映像の光は、クロスダイクロイックプリズム３７に入射して、クロスダイクロイックプリズム３７において合成されることにより、フルカラーの映像が生成される。生成されたフルカラーの映像の光は、クロスダイクロイックプリズム３７から出射されて投射レンズ３８に入射する。
【００３４】
投射レンズ３８は、プロジェクタ１の外部に設けられるスクリーンや壁等の平面に向けて３色以上のフルカラーの映像の光を投射する。このようにしてプロジェクタ１は平面上に映像を表示することが可能である。以上のように、本実施形態に係るプロジェクタ１は、３板式の液晶プロジェクタである。
【００３５】
本実施形態においては、ランプ２を交換することができるように構成されている。即ち、例えばランプ２の寿命が尽きたときに、寿命が尽きて点灯不可能なランプ２を、点灯可能な新しいランプ２に交換することができる。ランプ２の交換作業は、ランプカバー１６を開けて行うことができる。
【００３６】
図３及び図４に示すように、本実施形態においては、ランプユニット４にランプ２が含まれている。従って、ランプユニット４が交換されることにより、ランプ２が交換される構成となっている。以下、図３と図４（ａ）及び（ｂ）を参照しながら、ランプユニット４の構成について説明する。
【００３７】
ランプユニット４は、ランプ２と、ランプ２を保持するランプホルダ４０とを備えている。ランプホルダ４０は、ランプ２を構成するリフレクタ２２を支持する枠状の支持枠部４１と、ランプ２の上方を覆う上側壁部４２と、ランプ２の内側部位を覆うとともに冷却風を通気させる冷却風通気部４３とを有している。
【００３８】
支持枠部４１にはリフレクタ２２が固定されている。また、支持枠部４１の上側端部には、上側壁部４２が接続されている。さらに、支持枠部４１には、筒状の冷却風通気部４３が接続されている。
【００３９】
冷却風通気部４３は、ランプ２の内側部位と、ランプ２が光を発する方向に設けられた透明カバー部材４４（図３参照）との間に空間を形成するための部位である。図４（ａ）に示すように、冷却風通気部４３には、ランプ２の内側部位を冷却する冷却風をランプユニット４に吸い込むための開口である吸気口４３ａが設けられている。また、図３及び図４（ｂ）に示すように、冷却風通気部４３には、ランプ２の内側部位を冷却した冷却風をランプユニット４から排出するための開口である排気口４３ｂが設けられている。
【００４０】
また、ランプユニット４は、ランプホルダ４０に対して取り付けられた透明カバー部材４４と、吸気口４３ａ及び排気口４３ｂに設けられた格子部材４５と、ランプ２に接続されたランプ側配線４６（図４参照）と、ランプ側配線４６に取り付けられた被給電側コネクタ４７とを備えている。
【００４１】
透明カバー部材４４は、例えば透明性を有するカバーガラスにより構成されている。透明カバー部材４４は、冷却風通気部４３と、冷却風通気部４３に嵌め合せられた嵌合部材４４ａとにより、挟まれて固定されている。透明カバー部材４４により、ランプ２の寿命が尽きたときに破裂する発光管２１の破片の飛散が抑制される。なお、本実施形態においては、透明カバー部材４４は、ランプ２から出射した光を平行光に変換するレンズを兼ねている。
【００４２】
格子部材４５は、多数の小さな孔が形成された金属板により構成されている。吸気口４３ａに設けられた格子部材４５により、ランプユニット４に冷却風を吸い込むことを可能としながらも、ランプ２の寿命が尽きたときに破裂する発光管２１の破片の飛散が抑制される。また、同様に、排気口４３ｂに設けられた格子部材４５により、ランプユニット４から冷却風を排出することを可能としながらも、ランプ２の寿命が尽きたときに破裂する発光管２１の破片の飛散が抑制される。
【００４３】
図４（ａ）に示すランプ側配線４６は、導線を絶縁材料で覆ったコードである。ランプ側配線４６により、接続端子２４が被給電側コネクタ４７に設けられたピン４７ａと接続されている。
【００４４】
ランプ側配線４６に接続されている被給電側コネクタ４７は、図４（ａ）に示すように、ランプユニット４の支持枠部４１に設けられている。被給電側コネクタ４７は、ランプユニット４にねじ（不図示）を用いて固定されている。被給電側コネクタ４７は、給電側コネクタ６３（図５参照）に対して着脱自在に構成されている。給電側コネクタ６３に被給電側コネクタ４７が接続されることにより、筐体１０の内部に設けられる電源部６０（図５参照）からランプ２に電力の供給が可能となる。
【００４５】
図５及び図６に、被給電側コネクタ４７と接続される給電側コネクタ６３を示すとともに、図５及び図７に、筐体１０の内部に設けられるランプハウジング５を示す。図５において、光学部品及び上側ケース１２等の図示は省略されている。また、図６は、図５に示すランプハウジング５を省いた状態の図であって、図７は、図５に示す電源部６０及び電源側配線６２を省いた状態の図である。
【００４６】
図５及び図６に示すように、筐体１０の内部には、ランプユニット４に電力を供給する電源部６０と、電源部６０に接続された電源側配線６２と、電源側配線６２に取り付けられた給電側コネクタ６３とが設けられている。
【００４７】
電源部６０は、外部電源（図示略）から供給される電力を、ランプ２に応じた電力に変換するとともに、電源側配線６２とランプ側配線４６とを介してランプ２に電力を供給する電源回路により構成されている。電源部６０は、金属板からなるシールド部材６１により覆われている。
【００４８】
電源側配線６２は、ランプ側配線４６と同様に、導線を絶縁材料で覆ったコードである。電源側配線６２により、電源部６０が給電側コネクタ６３内に設けられた導電体（図示略）と接続されている。
【００４９】
図６及び図７に示すように、給電側コネクタ６３は、電源側配線６２が差し込まれた配線差込部６３ａと、被給電側コネクタ４７のピン４７ａ（図４（ａ）参照）が差し込まれるピン差込部６３ｂとを有している。ピン差込部６３ｂに差し込まれたピン４７ａが、給電側コネクタ６３内に設けられた導電体と接続されることにより、電源側配線６２とランプ側配線４６とが接続される。
【００５０】
ここで、本実施形態においては、給電側コネクタ６３が、ランプハウジング５に対して固定されずに、筐体１０に対して固定されていることに特徴がある。従って、図６に示すように、ランプハウジング５が筐体１０に設けられる前において、給電側コネクタ６３の位置が決定される。
【００５１】
本実施形態においては、給電側コネクタ６３は、コネクタホルダ７を介して筐体１０に対して固定されている。即ち、給電側コネクタ６３を保持するコネクタホルダ７が筐体１０に固定されることにより、給電側コネクタ６３が筐体１０に対して固定されている。
【００５２】
図８は、給電側コネクタ６３がコネクタホルダ７により保持された状態を示す斜視図である。図８においては、電源側配線６２及び給電側コネクタ６３及びコネクタホルダ７のみを実線で図示している。
【００５３】
図８に示すように、コネクタホルダ７にはねじ８１が挿通される。このねじ８１が下側ケース１１に締め付けられることにより、コネクタホルダ７が下側ケース１１に固定される。また、コネクタホルダ７にはねじ８２が締め付けられる。このねじ８２が有するねじ頭８２ａとコネクタホルダ７とにより、給電側コネクタ６３の一部が挟まれて、コネクタホルダ７に給電側コネクタ６３が固定される。以上のように、本実施形態においては、給電側コネクタ６３の一部が、ねじ８２を用いてコネクタホルダ７に固定されるとともに、コネクタホルダ７が、ねじ８１を用いて筐体１０を構成する下側ケース１１に固定される構成となっている。
【００５４】
図９に示すように、コネクタホルダ７は、電源側配線６２が嵌め合せられる配線嵌合部７１と、給電側コネクタ６３が嵌められるコネクタ嵌合部７２とを有している。配線嵌合部７１は、電源側配線６２の形状に合わせて円の一部をなすように形成された部位である。配線嵌合部７１には弾性変形が可能な電源側配線６２が嵌められる。また、コネクタ嵌合部７２は、給電側コネクタ６３が設けられるように形成された部位である。コネクタ嵌合部７２においては、給電側コネクタ６３の一部が載置されるコネクタ載置面７２ａが設けられている。このコネクタ載置面７２ａに給電側コネクタ６３の一部が載置されることにより、給電側コネクタ６３がコネクタホルダ７により保持される。
【００５５】
また、コネクタホルダ７には、ねじ８１が挿入されるねじ挿入孔７３と、ねじ８２が螺合されるねじ螺合部７４とが設けられている。ねじ挿入孔７３は、コネクタホルダ７を上方から見たときに、配線嵌合部７１とコネクタ嵌合部７２とを挟む位置に設けられている。また、ねじ螺合部７４は、コネクタ載置面７２ａの近傍に設けられている。
【００５６】
図６及び図７に示すように、コネクタホルダ７及びコネクタホルダ７により保持される給電側コネクタ６３は、電源部６０及びランプハウジング５の近傍に設けられる。そして、給電側コネクタ６３は、上方（即ち、開口であるピン差込部６３ｂが開口する方向）から見てランプハウジング５と重ならない位置設けられている。従って、ランプハウジング５に対して上方からランプユニット４を移動させることにより、図１０及び図１１に示すように、ランプハウジング５にランプユニット４が収容されるとともに、給電側コネクタ６３と被給電側コネクタ４７とが接続される。
【００５７】
なお、本実施形態においては、図５に示すように、配線差込部６３ａ（図６参照）をカバーする壁体であるランプハウジング５が、給電側コネクタ６３の近傍に設けられている。このため、ランプハウジング５が筐体１０に設けられた状態においては、給電側コネクタ６３の配線差込部６３ａに指を近づけることができないように構成されている。
【００５８】
本実施形態によれば、以下の効果を得ることができる。
（１）プロジェクタ１は、ランプユニット４が収容されるランプハウジング５と、ランプハウジング５が内部に設けられる筐体１０とを備えている。筐体１０の内部には、ランプユニット４に電力を供給する電源部６０と、電源部６０に接続された電源側配線６２と、電源側配線６２に取り付けられた給電側コネクタ６３とが設けられている。また、ランプユニット４は、ランプ２と、ランプ２に接続されたランプ側配線４６と、ランプ側配線４６に取り付けられた被給電側コネクタ４７とを備えている。そして、被給電側コネクタ４７と接続される給電側コネクタ６３は、筐体１０及びランプハウジング５のうち筐体１０に対して固定されている。このため、ランプハウジング５に給電側コネクタ６３が固定されず、筐体１０の内部にランプハウジング５が設けられていない状態においても、筐体１０に対して給電側コネクタ６３を固定することにより、筐体１０の内部に設けられる給電側コネクタ６３の位置を決定することができる。従って、ランプハウジング５が筐体１０の内部に設けられる前に、筐体１０の内部に設けられる給電側コネクタ６３を固定することができ、筐体１０の内部に設けられる電源側配線６２の配置を容易に整えることができる。
【００５９】
（２）給電側コネクタ６３は、給電側コネクタ６３を保持する保持部材であるコネクタホルダ７を介して筐体１０に対して固定されている。このため、給電側コネクタ６３の形状に合ったコネクタホルダ７を用いることにより、形状の異なる種々の給電側コネクタ６３を筐体１０に対して固定することが可能となる。
【００６０】
（３）コネクタホルダ７には、電源側配線６２が嵌め合せられる配線嵌合部７１が設けられている。このため、コネクタホルダ７の配線嵌合部７１に電源側配線６２が嵌め合わせられることにより、給電側コネクタ６３だけでなく電源側配線６２もコネクタホルダ７により保持される。
【００６１】
（４）コネクタホルダ７はねじ８１を用いて筐体１０に固定されている。このため、コネクタホルダ７を強固に固定することができ、コネクタホルダ７を筐体１０から容易に取り外すこともできる。
【００６２】
（５）給電側コネクタ６３の一部が、ねじ８２を用いてコネクタホルダ７に固定されている。このため、給電側コネクタ６３を強固に保持することができ、給電側コネクタ６３をコネクタホルダ７から容易に取り外すこともできる。
【００６３】
（６）給電側コネクタ６３は、電源側配線６２が差し込まれた配線差込部６３ａを有し、配線差込部６３ａをカバーする壁体であるランプハウジング５が給電側コネクタ６３の近傍に設けられている。このため、配線差込部６３ａをカバーするランプハウジング５により、例えば人体の一部である指が、電源側配線６２を構成するとともに給電側コネクタ６３内において露出する導電体（図示略）に触れることを防止することができる。従って、給電側コネクタ６３内の導電体と人体との絶縁距離を容易に確保することができる。
【００６４】
（７）配線差込部６３ａをカバーする壁体がランプハウジング５により構成されている。このため、筐体１０に対して給電側コネクタ６３を固定して電源側配線６２の配置を整えた後に、筐体１０の内部にランプハウジング５を設けることにより、給電側コネクタ６３内における導電体と人体との絶縁距離を容易に確保することができる。
【００６５】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００６６】
・配線差込部６３ａをカバーすることができるのであれば、配線差込部６３ａをカバーする壁体がランプハウジング５により構成されていなくてもよい。また、配線差込部６３ａをカバーすることができるのであれば、配線差込部６３ａをカバーする壁体が設けられる位置はどこでもよい。
・本発明は、３板式の液晶プロジェクタに限定されるものではない。例えば、電気光学装置としてＤＭＤ（Digital Micromirror Device）を備えたプロジェクタに本発明を適用することもできる。
【符号の説明】
【００６７】
１…プロジェクタ（投写型映像表示装置）、２…ランプ、４…ランプユニット、５…ランプハウジング（壁体）、７…コネクタホルダ（保持部材）、１０…筐体、４６…ランプ側配線、４７…被給電側コネクタ、６０…電源部、６２…電源側配線、６３…給電側コネクタ、６３ａ…配線差込部、７１…配線嵌合部、８１，８２…ねじ。
【図１】
2012073525.tif 000003
【図２】
2012073525.tif 000004
【図３】
2012073525.tif 000005
【図４】
2012073525.tif 000006
【図５】
2012073525.tif 000007
【図６】
2012073525.tif 000008
【図７】
2012073525.tif 000009
【図８】
2012073525.tif 000010
【図９】
2012073525.tif 000011
【図１０】
2012073525.tif 000012
【図１１】
2012073525.tif 000013